【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
プロセスプラント内の構成要素に関するステータス情報を報告するための方法であって、
ユーザ要求に応答して、データソースから初期ステータス情報を受信するステップと、
ユーザプレファレンス履歴データに基づいて、前記初期ステータス情報に優先順位を付けて、前記ステータス情報内の優先順位がより高いステータス情報のサブセットを特定するステップと、
前記ステータス情報のその他のものより上にランク付けされる前記優先順位がより高いステータス情報を含むレポートを生成するステップと、
前記レポートをユーザに表示するステップと、を含む方法。
【請求項２】
前記初期ステータス情報に優先順位を付けるステップが、前記ユーザプレファレンスデータを特定するために履歴データをプロファイリングするステップを含み、前記履歴データが、前記プロセスプラント内の任意の構成要素に関するステータス情報との過去のユーザインタラクションを提示する、請求項１に記載される方法。
【請求項３】
前記プロセスプラント内の任意の構成要素に関するステータス情報とのユーザインタラクションに関し、かつ、コンピュータ上に表示されるユーザインタラクションデータを保存するステップと、
前記ユーザプレファレンスデータを生成するために、前記ユーザインタラクションデータを分析するステップと、をさらに含む請求項２に記載される方法。
【請求項４】
前記ユーザインタラクションデータが、前記プロセスプラント内の任意の構成要素に関する前記ステータス情報について検索している間に追跡される、請求項３に記載される方法。
【請求項５】
前記初期ステータス情報に優先順位を付けるステップが、前記優先順位がより高いステータス情報および優先順位がより低いステータス情報を特定し、前記方法が、
前記優先順位がより高いステータス情報に関する保証度係数を決定するステップと、
前記保証度係数がしきい値より高い場合には、前記優先順位がより高いステータス情報のみを表示し、前記保証度係数がしきい値より低い場合には、前記優先順位がより高いステータス情報および前記優先順位がより低いステータス情報を表示するステップと、をさらに含む、請求項４に記載される方法。
【請求項６】
前記ユーザ要求が第１の検索要求であり、前記初期ステータス情報が、前記第１の検索要求に応答する初期検索結果データを含み、前記レポートを生成するステップが、前記優先順位がより高いステータス情報を含む検索レポートを生成するステップを含み、前記レポートを表示するステップが、前記優先順位がより高いステータス情報を含む前記検索レポートを表示するステップを含む、請求項５に記載される方法。
【請求項７】
前記第２の検索レポートは、前記検索レポートの前記優先順位がより高いステータス情報の全てを含むが、前記優先順位がより高いステータス情報の前記優先順位が、前記第２の検索レポート内に再構成されている、請求項６に記載される方法。
【請求項８】
前記初期ステータス情報に優先順位を付けるステップが、
優先順位がより高い情報の前記サブセットが、その他の相関されたステータス情報を含むように、前記初期ステータス情報を前記その他の相関されたステータス情報に相関させるステップを含む、請求項７に記載される方法。
【請求項９】
前記初期ステータス情報をその他の相関されたステータス情報に相関させるステップと、
前記その他の相関されたステータス情報のレポートを前記ユーザに表示するステップと、をさらに含む請求項８に記載される方法。
【請求項１０】
前記ユーザインタラクションデータが、ユーザが前記プロセスプラント内の任意の構成要素に関する前記ステータス情報とインタラクトする時間量を表す、請求項９に記載される方法。
【請求項１１】
前記ユーザインタラクションデータが、ユーザが前記プロセスプラント内の任意の構成要素に関する前記ステータス情報とインタラクトする回数を表す、請求項９に記載される方法。
【請求項１２】
前記初期ステータス情報に優先順位を付けるステップが、前記ユーザプレファレンスデータの単一のプロファイルパラメータに基づいて優先順位を付けるステップを含む、請求項９に記載される方法。
【請求項１３】
第１のデータランク付けを決定するために、第１のプロファイルパラメータに基づいて前記初期ステータス情報にランク付けするステップと、
第２のデータランク付けを生成するために、少なくとも１つの第２のプロファイルパラメータに基づいて前記第１のデータランク付けにランク付けするステップと、をさらに含む、請求項９に記載される方法。
【請求項１４】
前記初期ステータス情報に優先順位を付けるステップが、前記ユーザプレファレンスデータの複数のプロファイルパラメータに基づいて優先順位を付けるステップを含む、請求項９に記載される方法。
【請求項１５】
前記検索レポートとは別個に前記初期ステータス情報を表示するステップをさらに含む、請求項９に記載される方法。
【請求項１６】
前記優先順位がより高いステータス情報が、前記第１の検索要求に応答する予測される検索結果を表す、請求項９に記載される方法。
【請求項１７】
前記ユーザから第２の検索要求を受信するステップであって、前記第２の検索要求が前記第１の検索要求の後に受信されるステップと、
第２の検索レポートを生成するために、前記第２の検索要求に基づいて、前記検索レポートの前記優先順位がより高いステータス情報に優先順位を付けるステップと、
前記第２の検索レポートをユーザに表示するステップと、をさらに含む請求項９に記載される方法。
【請求項１８】
前記第２の検索レポートが、前記検索レポートの前記優先順位がより高いステータス情報のサブセットのみを含む、請求項１７に記載される方法。
【請求項１９】
前記ユーザプレファレンスデータが、前記プロセスプラント内の任意の構成要素に関するステータス情報への過去のユーザアクセスに関する情報を含む、請求項９に記載される方法。
【請求項２０】
前記レポートを前記ユーザに表示するステップが、
前記優先順位がより高いステータス情報のグラフィカルプロットを示す前記レポートの少なくとも１つのグラフィカル表示を表示するステップを含む、請求項９に記載される方法。
【請求項２１】
前記レポートの複数の異なるグラフィック表示を、前記優先順位がより高いステータス情報の複数の異なるグラフィカルプロットを介して表示するステップであって、各グラフィカルプロットが、異なるプロット基準に基づいて前記優先順位がより高いステータス情報をプロットするステップをさらに含む、請求項２０に記載される方法。
【請求項２２】
前記ユーザインタラクションデータが、前記プロセスプラント内の任意の構成要素に関する前記ステータス情報にユーザがアクセスした頻度を表す、請求項９に記載される方法。
【請求項２３】
前記プロセスプラント内の任意の構成要素に関する前記ステータス情報が、健全性指標、可変性指標、利用性指標または性能指標を含む、請求項９に記載される方法。
【請求項２４】
前記プロセスプラント内の任意の構成要素に関する前記ステータス情報が、アラートステータスまたは緊急イベントステータスを含む、請求項９に記載される方法。
【請求項２５】
ユーザインタラクションデータについて前記コンピュータを連続的に追跡するステップをさら含む、請求項９に記載される方法。
【請求項２６】
前記コンピュータにおけるユーザ開始イベントに応答して、ユーザインタラクションデータについて前記コンピュータを追跡するステップをさらに含む、請求項９に記載される方法。
【請求項２７】
遠隔開始信号に応答して、ユーザインタラクションデータについて前記コンピュータを追跡するステップをさらに含む、請求項９に記載される方法。
【請求項２８】
前記初期ステータス情報に優先順位を付けるステップが、前記優先順位がより高いステータス情報および優先順位がより低いステータス情報を特定し、前記レポートが、前記優先順位がより高いステータス情報のみを表示する、請求項９に記載される方法。
【請求項２９】
前記初期ステータス情報に優先順位を付けるステップが、前記優先順位がより高いステータス情報および優先順位がより低いステータス情報を特定し、前記レポートが、前記優先順位がより高いステータス情報と前記優先順位がより低いステータス情報の両方を表示する、請求項９に記載される方法。
【請求項３０】
プラント内の資産に関するステータス情報を報告するための装置において、前記装置が、
前記プラント内の前記資産に関するステータス情報を保存するメモリと、
前記保存されたステータス情報を表示するためのディスプレイと、
ステータス情報リポータであって、
ａ）ユーザ要求に応答して、データソースから初期ステータス情報を受信し、
ｂ）ユーザプレファレンス履歴データに基づいて、前記初期ステータス情報に優先順位を付けて、前記ステータス情報内の優先順位がより高いステータス情報のサブセットを特定し、
ｃ）前記ステータス情報のその他のものよりも上にランク付けされる前記優先順位がより高いステータス情報を含むレポートを生成するように構成されるステータス情報リポータと、を備える装置。
【請求項３１】
前記ステータス情報リポータが、前記ユーザプレファレンスデータを特定するために履歴データをプロファイルするように構成され、前記履歴データが、前記プロセスプラント内の任意の構成要素に関するステータス情報との過去のユーザインタラクションを示す、請求項３０に記載される装置。
【請求項３２】
前記ステータス情報リポータが、
前記プロセスプラント内の任意の構成要素に関するステータス情報とのユーザインタラクションに関し、かつ、コンピュータ上に表示されるユーザインタラクションデータを保存し、
前記ユーザプレファレンスデータを生成するために前記ユーザインタラクションデータを分析するように構成される、請求項３１に記載される装置。
【請求項３３】
前記ステータス情報リポータが、
第１のデータランク付けを決定するために、第１のプロファイルパラメータに基づいて前記初期ステータス情報にランク付けし、
第２のデータランク付けを生成するために、少なくとも１つの第２のプロファイルパラメータに基づいて前記第１のデータランク付けにランク付けするように構成される、請求項３２に記載される装置。
【請求項３４】
前記ステータス情報リポータが、前記ユーザプレファレンスデータの複数のプロファイルパラメータに基づいて、前記初期ステータス情報に優先順位を付けるように構成される、請求項３３に記載される装置。
【請求項３５】
前記ユーザプレファレンスデータが、前記プロセスプラント内の任意の構成要素に関するステータス情報への過去のユーザアクセスに関する情報を含む、請求項３４に記載される装置。
【請求項３６】
前記ステータス情報リポータが
優先順位がより高い情報の前記サブセットが、その他の相関されたステータス情報を含むように、前記初期ステータス情報を前記その他の相関されたステータス情報に相関させるように構成される、請求項３５に記載される装置。
【請求項３７】
前記ステータス情報リポータが、
前記初期ステータス情報をその他の相関されたステータス情報に相関させ、
前記その他の相関されたステータス情報のレポートを前記ユーザに表示するように構成される、請求項３６に記載される装置。
【請求項３８】
前記優先順位がより高いステータス情報のグラフィカルプロットを示す前記レポートの少なくとも１つのグラフィカル表示を表示するように構成されるディスプレイコントローラを、さらに備える請求項３７に記載される装置。
【請求項３９】
前記ディスプレイコントローラが、前記レポートの複数の異なるグラフィック表示を、前記優先順位がより高いステータス情報の複数の異なるグラフィカルプロットを介して表示するようにさらに構成され、各グラフィカルプロットが、異なるプロット基準に基づいて、前記優先順位がより高いステータス情報をプロットする、請求項３８に記載される装置。
【請求項４０】
前記ユーザインタラクションデータが、前記プロセスプラント内の任意の構成要素に関する前記ステータス情報について検索している間に追跡されるデータである、請求項３５に記載される装置。
【請求項４１】
前記ユーザインタラクションデータが、前記プロセスプラント内の任意の構成要素に関する前記ステータス情報とユーザがインタラクトする時間量を表す、請求項３５に記載される装置。
【請求項４２】
前記ユーザインタラクションデータが、ユーザが前記プロセスプラント内の任意の構成要素に関する前記ステータス情報とインタラクトする回数を表す、請求項３５に記載される装置。
【請求項４３】
前記ユーザインタラクションデータが、前記プロセスプラント内の任意の構成要素に関する前記ステータス情報とユーザがアクセスする頻度を表す、請求項３５に記載される装置。
【請求項４４】
前記プロセスプラント内の任意の構成要素に関する前記ステータス情報が、健全性指標、可変性指標、利用性指標または性能指標を含む、請求項３５に記載される装置。
【請求項４５】
前記プロセスプラント内の任意の構成要素に関する前記ステータス情報が、アラートステータスまたは緊急イベントステータスを含む、請求項３５に記載される装置。
【請求項４６】
前記ステータス情報リポータが、ユーザインタラクションデータについて前記コンピュータを連続的に追跡するように構成される、請求項３５に記載される装置。
【請求項４７】
前記ステータス情報リポータが、前記コンピュータにおけるユーザ開始イベントに応答して、ユーザインタラクションデータについて前記コンピュータを追跡するように構成される、請求項３５に記載される装置。
【請求項４８】
前記ステータス情報リポータが、遠隔開始信号に応答して、ユーザインタラクションデータについて前記コンピュータを追跡するように構成される、請求項３５に記載される装置。
【請求項４９】
前記ステータス情報リポータが、前記優先順位がより高いステータス情報のみを報告するように構成される、請求項３５に記載される装置。
【請求項５０】
前記ステータス情報リポータが、前記優先順位がより高いステータス情報および優先順位がより低いステータス情報を報告するように構成される、請求項３５に記載される装置。